(57)【要約】【課題】遊技者の足部を暖めることのできる遊技機を提供する。【解決手段】スロットマシン１０の前面扉１２には、受け皿２６が設けられている。受け皿２６は、メダルが払い出される皿本体６６、皿本体６６を覆うように設けられた断熱材６８、断熱材６８を覆うように設けられた熱体部７０を備えている。熱体部７０は、前面扉１２を閉じると、鉄など伝熱性の高い材料から形成された連結板６４、ベース板４４、及び、第１〜第３ステー５０ａ〜５０ｃを介して、発熱部品であるステッピングモータ６０ａ〜６０ｃと連結される。これにより、ステッピングモータ６０ａ〜６０ｃの熱が熱体部７０に伝達されて熱体部７０が加熱され、遊技者の足部へ向けて暖房用の熱が放射される。【選択図】図３
2009089884.tif 000002
【特許請求の範囲】
【請求項１】
遊技機本体から払い出された遊技媒体を収容する受け皿が遊技機本体の前面に設けられた遊技機において、
前記受け皿に、受け皿の外側へ向けて暖房用の熱を放射する熱体部と、この熱体部よりも内側に配置され、熱体部からの熱が前記受け皿内の遊技媒体に伝導することを防ぐ断熱材とを設けたことを特徴とする遊技機。
【請求項２】
前記熱体部と前記遊技機本体内に配置された発熱部品とを連結するように設けられ、前記発熱部品の熱を前記熱体部に伝達する伝熱体を設けたことを特徴とする請求項１記載の遊技機。
【発明の詳細な説明】
【技術分野】
【０００１】
本発明は、パチンコ店などの遊技場に設置されるパチンコ機やスロットマシンなどの遊技機に関するものである。
【背景技術】
【０００２】
下記特許文献１に記載されているように、パチンコ機やスロットマシンなどの遊技機は、遊技機本体の前面下部に遊技媒体が払い出される受け皿が設けられている。
【特許文献１】特開２００７−０５４１２１号公報
【発明の開示】
【発明が解決しようとする課題】
【０００３】
ところで、パチンコ店では、空調設備により店内の温度管理を行っているものの、遊技者によっては、寒いと感じる者もある。特に女性の遊技者は、足部が冷えると感じる傾向が強く、対策が求められている。
【０００４】
本発明は上記背景を鑑みてなされたものであり、遊技者を暖めることのできる遊技機を提供することを目的としている。
【課題を解決するための手段】
【０００５】
上記目的を達成するために本発明の遊技機は、遊技機本体から払い出された遊技媒体を収容する受け皿が遊技機本体の前面に設けられた遊技機において、前記受け皿に、受け皿の外側へ向けて暖房用の熱を放射する熱体部と、この熱体部よりも内側に配置され、熱体部からの熱が前記受け皿内の遊技媒体に伝導することを防ぐ断熱材とを設けたことを特徴としている。
【０００６】
前記熱体部は、熱源を備えた発熱体であってもよいし、熱源を備えず、外部の熱源により熱せられて熱を放射する放熱体であってもよい。また、前記熱体部が放熱体である場合、前記熱体部と前記遊技機本体内に配置された発熱部品とを連結するように設けられ、前記発熱部品の熱を前記熱体部に伝達する伝熱体を備えていることが好ましい。
【発明の効果】
【０００７】
本発明によれば、受け皿の外側へ向けて暖房用の熱を放射する熱体部を設けたので、遊技者を暖めることができる。また、受け皿は、遊技者の腰の位置付近に設けられることが多いので、受け皿の外側へ向けて熱を放射することにより、特に遊技者の足下を暖めることができる。さらに、遊技機本体内の発熱部品からの熱を熱体部に伝達する伝熱体を設ければ、発熱部品の熱を利用して遊技者の足部を暖めることができる。また、本発明によれば、熱体部の内側に断熱材を設けたので、受け皿に収容された遊技媒体が加熱されてしまうといった問題を防止できる。
【発明を実施するための最良の形態】
【０００８】
図１において、スロットマシン（遊技機）１０は、本体（遊技機本体）１１の前面に前面扉１２が設けられている。本体１１は、前面側が開口した収納箱１４を有し、前面扉１２は、収納箱１４の開口部分に開閉自在に保持されている。前面扉１２には、表示窓１６、スタートレバー１８、ストップボタン２０ａ、２０ｂ、２０ｃの他、メダルを投入するためのメダル投入口２２、並びに、メダルが払い出される払い出し口２４、及び、払い出されたメダルを受けるための受け皿２６が設けられている。
【０００９】
表示窓１６の奥には第１リール３０ａ、第２リール３０ｂ、第３リール３０ｃが回転自在に組み込まれている。各リール３０ａ、３０ｂ、３０ｃの外周には複数種類の図柄が一定の間隔で配列されている。そして、各リール３０ａ、３０ｂ、３０ｃが停止した状態では１リール当たり３個の図柄が表示窓１６に表示される。
【００１０】
スロットマシン１０には、表示窓１６に表示された各リール３０ａ、３０ｂ、３０ｃの図柄を１個ずつ組み合わせた直線状の入賞有効ライン３２が横３本と斜め２本との合計５本設定されている。そして、メダル投入口２２から１枚のメダルを投入したときには中段の入賞有効ライン３２が有効化される。２枚のメダルを投入したときには中段の入賞有効ライン３２に上段及び下段の入賞有効ライン３２を加えた横３本の入賞有効ライン３２が有効化される。３枚のメダルを投入したときには上段、中段、下段の３本に斜めの２本を加えた合計５本の入賞有効ライン３２が有効化される。
【００１１】
入賞有効ライン３２が有効下された後、スタートレバー１８が押下されると各リール３０ａ、３０ｂ、３０ｃが一斉に回転を開始し、一定時間が経過すると各ストップボタン２０ａ、２０ｂ、２０ｃの操作が有効化される。各ストップボタン２０ａ、２０ｂ、２０ｃは、各リール３０ａ、３０ｂ、３０ｃに対応して設けられている。そして、個々のストップボタン２０ａ、２０ｂ、２０ｃが操作されて操作信号が出力されると、これに応答して対応するリール３０ａ、３０ｂ、３０ｃが個別に停止される。そして、全てのリールが停止したときに所定の当選役が入賞すると、払い出し口２４を介して受け皿２６にメダルが払い出される。
【００１２】
図２に示すように、前面扉１２には、セレクタ３４、及び、払い出しシュート３６が設けられ、収納箱１４には、ホッパ装置３８が設けられている。セレクタ３４は、メダル投入口２２に不適正なタイミングでメダルが投入された際（リールの回転中やクレジットが満タンであるときにメダルが投入された際）、及び、メダル投入口２２に不適正なメダル（例えば、小径のメダル）が投入された際に、このメダルを開口３４ａから下方に落下させる。セレクタ３４から落下されたメダルは、開口３６ａから払い出しシュート３６に投入され、受け皿２６に払い出される。
【００１３】
また、セレクタ３４は、メダル投入口２２から適正なタイミングで適正なメダルが投入された際に、このメダルの通過を許容する。セレクタ３４を通過したメダルは、案内通路４０を介してホッパ装置３８の上部に設けられたメダル貯留箱３８ａに投入される。ホッパ装置３８は、所定の当選役が入賞した際に駆動され、メダル貯留箱３８ａに貯留されたメダルを開口３８ｂから１枚ずつ射出する。開口３８ｂから射出されたメダルは、開口３６ｂから払い出しシュート３６に投入され、受け皿２６に払い出される。
【００１４】
また、収納箱１４には、リール設置台４２が設けられ、このリール設置台４２には、ベース板４４を介して、第１リール３０ａを保持する第１ステー５０ａ、第２リール３０ｂを保持する第２ステー５０ｂ、第３リール３０ｃを保持する第３ステー５０ｃが設置されている。ベース板４４は、水平部４４ａと、水平部４４ａの前端から下方に屈曲された垂直部４４ｂとを備えている。そして、ベース板４４は、水平部４４ａがリール設置台４２の上面に固定されている。
【００１５】
各ステー５０ａ、５０ｂ、５０ｃは、水平部４４ａの上面に固定されている。第１ステー５０ａには、ステッピングモータ（発熱部品）６０ａが取り付けられている。そして、このステッピングモータ６０ａの駆動軸に第１リール３０ａが取り付けられている。同様に、第２ステー５０ｂには、ステッピングモータ（発熱部品）６０ｂが取り付けられ、このステッピングモータ６０ｂの駆動軸に第２リール３０ｂが取り付けられている。また、第３ステー５０ｃには、ステッピングモータ（発熱部品）６０ｃが取り付けられている。そして、このステッピングモータ６０ｃの駆動軸に第３リール３０ｃが取り付けられている。
【００１６】
他方、前面扉１２は、扉枠６２を備えている。そして、この扉枠６２には、連結板６４が取り付けられている。図３に示すように、連結板６４は、上下に長く形成され、前面扉１２を閉じた際に、上端部６４ａがベース板４４の垂直部４４ｂと当接するように構成されている。また、連結板６４は、下端部６４ｂが扉枠６２に固定されるとともに、この下端部６４ｂが受け皿２６に連結されている。
【００１７】
受け皿２６は、皿本体６６、断熱材６８、熱体部７０を備えている。皿本体６６は、上面が開口された略箱形状に形成されており、皿本体６６の内側部分は、払い出し口２４から払い出されたメダルを収容する収容部となっている。断熱材６８は、皿本体６６を覆うように皿本体６６の外側に設けられている。熱体部７０は、断熱材６８を覆うように断熱材６８の外側に設けられている。そして、熱体部７０に連結板６４の下端部６４ｂが連結されている。
【００１８】
各ステー５０ａ、５０ｂ、５０ｃ（図２参照）、ベース板４４（図２参照）、連結板６４、並びに、熱体部７０は、それぞれ、伝熱性の高い鉄などの材料から形成されている。このため、前面扉１２を閉じてベース板４４の垂直部４４ｂと連結板６４の上端部６４ａとが当接すると（図３参照）、各ステー５０ａ、５０ｂ、５０ｃ、ベース板４４、連結板６４が伝熱体として機能し、各ステッピングモータ６０ａ、６０ｂ、６０ｃの熱が熱体部７０に伝達される。これにより、熱体部７０が加熱され、熱体部７０から遊技者の足部へ向けて暖房用の熱が放射される。このようにスロットマシン１０によれば、ステッピングモータ６０ａ、６０ｂ、６０ｃの熱を利用して熱体部７０を加熱することにより、遊技者の足部を暖めることができる。
【００１９】
また、前述のように、受け皿２６は、その内側から断熱材６８と熱体部７０とがこの順で配置（熱体部７０の内側に断熱材が配置）されている。このため、受け皿２６の外側の部分に位置する熱体部７０からの熱が受け皿２６の外側（遊技者の足部）へ向けて放射される一方で、受け皿２６の内側の部分に位置する断熱材６８により、熱体部７０からの熱が受け皿２６内のメダルに波及しないようになっている。これにより、受け皿２６に払い出されたメダルが加熱されることもない。
【００２０】
なお、本発明は、受け皿に、遊技者の足部へ向けて暖房用の熱を放射する熱体部を設けるとともに、この熱体部からの熱により受け皿に払い出されたメダルが加熱されないように熱体部の内側に断熱材を設ければよい。このため、細部の構成は上記実施形態に限定されるものではなく、適宜変更できる。
【００２１】
例えば、遊技者のなかには、暖房用の熱が放射されることを嫌う者もある。このため、図４に示すスロットマシン１００のように、熱体部７０を加熱するか否かを遊技者が選択できるようにしてもよい。なお、図４以降の図面を用いた説明では、上述した実施形態と同様の部材については同様の符号を付して説明を省略する。
【００２２】
図４において、スロットマシン１００には、前面扉１２に切り替えレバー１０２が設けられている。切り替えレバー１０２は、前面扉１２に向かって左側の暖房位置と、前面扉１２に向かって右側の暖房停止位置との間でスライド自在に設けられている。切り替えレバー１０２は、操作部１０２ａが前面扉１２から露呈されており、遊技者はこの操作部１０２ａを操作することで切り替えレバー１０２を移動させることができる。
【００２３】
図５に示すように、切り替えレバー１０２は、レバー本体１０２ｂを備え、このレバー本体１０２ｂの一端に前述した操作部１０２ａが形成されるとともに、レバー本体１０２ｂの他端部に、ベース板４４の垂直部４４ｂと連結板６４の上端部６４ａとの間に挿入される挿入部１０２ｃが形成されている。挿入部１０２ｃは、伝熱性の低いプラスチックなどの材料を用いて形成され、前面扉１２に向かって左側から右側へ向かうにつれて厚みが薄くなるように、楔型に形成されている。
【００２４】
そして、図６（Ａ）に示すように、前面扉１２を閉じた状態で切り替えレバー１０２を暖房位置に移動させると、ベース板４４の垂直部４４ｂと連結板６４の上端部６４ａとが当接し、ステッピングモータ６０ａ、６０ｂ、６０ｃの熱が熱体部７０に伝達される。これにより、遊技者の足下へ向けて暖房用の熱が放射される。
【００２５】
また、図６（Ｂ）に示すように、前面扉１２を閉じた状態で切り替えレバー１０２を暖房停止位置へ移動させると、ベース板４４の垂直部４４ｂと連結板６４の上端部６４ａとの間に挿入部１０２ｃが挿入され、ステッピングモータ６０ａ、６０ｂ、６０ｃの熱が熱体部７０に伝達されないようになる。これにより、遊技者の足下への放熱が停止される。このように、スロットマシン１００によれば、切り替えレバー１０２を操作することで暖房用の熱を放射させるか否かを遊技者が選択できるので便利である。
【００２６】
なお、上記実施形態では、ステッピングモータの熱を利用して、熱体部を加熱する例で説明をしたが、本発明はこれに限定されるものではない。遊技機本体内に設けられたステッピングモータ以外の発熱部品（例えば、制御基板、電飾部品、遊技機の各部に電源を供給するための電源回路など）の熱を利用して熱体部を加熱してもよい。
【００２７】
また、上記実施形態では、熱体部が、遊技機本体内の発熱部品からの熱を放射する放熱体である例で説明をしたが、本発明はこれに限定されるものではない。熱体部が、熱源を備えた発熱体であってもよい。熱源としては、電熱線などの周知のものを用いることができる。このように熱体部が発熱体である場合は、遊技者が操作可能な位置に、熱源の作動及び作動停止を切り替えるための切り替えスイッチを設けることが好ましい。
【００２８】
なお、上記実施形態では、スロットマシンに本発明を適用する例で説明をしたが、例えば、パチンコ機などスロットマシン以外の遊技機に本発明を適用してもよい。
【図面の簡単な説明】
【００２９】
【図１】スロットマシンの外観斜視図である。
【図２】前面扉を開放した状態を示すスロットマシンの外観斜視図である。
【図３】受け皿の断面図である。
【図４】スロットマシンの外観斜視図である。
【図５】前面扉を開放した状態を示すスロットマシンの外観斜視図である。
【図６】切り替えレバーを移動させることでベース板と連結板とが当接、または、離間される様子を示す説明図である。
【符号の説明】
【００３０】
１０、１００  スロットマシン
１１  本体（遊技機本体）
１２  前面扉
１４  収納箱
２６  受け皿
４４  ベース板
５０ａ、５０ｂ、５０ｃ  ステー
６０ａ、６０ｂ、６０ｃ  ステッピングモータ（発熱部品）
６４  連結板
６８  断熱材
７０  熱体部
１０２  切り替えレバー
【図１】
2009089884.tif 000003
【図２】
2009089884.tif 000004
【図３】
2009089884.tif 000005
【図４】
2009089884.tif 000006
【図５】
2009089884.tif 000007
【図６】
2009089884.tif 000008